(57)【要約】【課題】屋外空気調和装置は、屋外で使用するため、機器のトラブルが発生しやすいと考えられ、メンテナンスを容易にする必要性が高い。【解決手段】屋外空気調和装置１００は、圧縮機１と、熱源側熱交換器６と、第１ファン７と、利用側熱交換器３と、第２ファン４と、これらを収容しているケーシング１０と、を備えている。利用側熱交換器３を通過した空気を空気調和装置１００の外部に吹出すための第１の開口３１ａ〜３１ｄが形成されている。第１の開口３１ａ〜３１ｄの大きさは、第２ファン４を取り外して通過させることが可能な大きさである。【選択図】図４
2020003182.tif 000002
【特許請求の範囲】
【請求項１】
屋外で使用される空気調和装置（１００）であって、
圧縮機（１）と、
熱源側熱交換器（６）と、
前記熱源側熱交換器に空気を通すための第１ファン（７）と、
利用側熱交換器（３）と、
前記利用側熱交換器に空気を通すための第２ファン（４）と、
前記圧縮機、前記熱源側熱交換器、前記第１ファン、前記利用側熱交換器、および、前記第２ファンを収容するケーシング（１０）と、
を備え、
前記ケーシングの少なくとも一つの側面に、前記利用側熱交換器を通過した空気を前記空気調和装置の外部に吹出すための第１の開口（３１ａ〜３１ｄ）が形成され、前記第１の開口の大きさは、前記第２ファンを取り外して通過させることが可能な大きさである、
屋外空気調和装置。
【請求項２】
前記第１の開口に配置され、前記ケーシングに脱着可能に装着される吹出し口部材（３０）を、
さらに備える、
請求項１に記載の屋外空気調和装置。
【請求項３】
前記吹出し口部材は、
風向を変更するフラップ（４０２）を有する、
請求項２に記載の屋外空気調和装置。
【請求項４】
前記吹出し口部材は、さらに、
前記ケーシングに取り付けられる枠体（２５）を有し、
前記枠体は前記第１の開口に配置されており、前記枠体には第２の開口（２５１）が形成されており、
前記フラップは前記第２の開口に配置されている、
請求項３に記載の屋外空気調和装置。
【請求項５】
前記吹出し口部材は、さらに、
前記ケーシングに取り付けられる枠体（２５）と、
前記枠体に取り付けられるパネル（３００）と、
を有し、
前記枠体は前記第１の開口に配置されており、前記枠体には第２の開口（２５１）が形成されており、
前記パネルは前記第２の開口に配置されており、前記パネルには第３の開口（３０１）が形成されており、
前記フラップは第３の開口に配置されている、
請求項３に記載の屋外空気調和装置。
【請求項６】
前記吹出し口部材は、
複数の前記第３の開口が形成されている前記パネルと、
前記フラップを有する複数のフラップユニット（４０）と、
を有し、
前記複数のフラップユニットは前記第３の開口に配置されている、
請求項５に記載の屋外空気調和装置。
【請求項７】
前記第１の開口は、複数であり、
前記ケーシングは、複数の側面を有しており、それぞれの前記側面に一つの前記第１の開口が形成されている、
請求項１〜６のいずれか１項に記載の屋外空気調和装置。
【請求項８】
前記ケーシングは、複数の側面を有しており、
前記吹出し口部材は、前記側面のうち隣接する２つの側面に跨って配置されている、
請求項２〜６のいずれか１項に記載の屋外空気調和装置。
【請求項９】
前記第２ファン、および、前記第１の開口は、高さ方向において、 前記利用側熱交換器と、前記熱源側熱交換器との間に配置されている、
請求項１〜８のいずれか１項に記載の屋外空気調和装置。
【発明の詳細な説明】
【技術分野】
【０００１】
屋外で使用される空気調和装置。
【背景技術】
【０００２】
利用側熱交換器、および、熱源側熱交換器を、一つの筐体に備えた、空気調和装置が知られている。従来の空気調和装置は、一般に、室内の局部的空間の冷房、除湿などに用いられていた。たとえば、特許文献１（特開２００２−２２８１８６号公報）に開示されている一体型空気調和装置は、屋外への排気が難しいような窓の無い部屋で利用する空気調和装置である。
【発明の概要】
【発明が解決しようとする課題】
【０００３】
近年、屋外イベントは増加しており、屋外イベント会場や飲食店のテラス席等、屋外空気調和装置の要望が高まってきている。屋外空気調和装置は、屋外に設置する都合上、外気にさらされ、機器全体として、耐候性に優れていることが求められる。そのために、機器全体として、屋外で使用できる頑丈さを求められることもあるが、トラブルの際、容易に対応できるメンテナンス性の良さも求められる。
【課題を解決するための手段】
【０００４】
第１観点の屋外空気調和装置は、屋外で使用される空気調和装置である。空気調和装置は、圧縮機と、熱源側熱交換器と、第１ファンと、利用側熱交換器と、第２ファンと、ケーシングとを備えている。第１ファンは、熱源側熱交換器に空気を通すためのものである。第２ファンは、利用側熱交換器に空気を通すためのものである。ケーシングは、圧縮機と、熱源側熱交換器と、第１ファンと、利用側熱交換器と、第２ファンとを、収容している。ケーシングの少なくとも一つの側面に、利用側熱交換器を通過した空気を前記空気調和装置の外部に吹出すための第１の開口が形成されている。第１の開口の大きさは、第２ファンを取り外して通過させることが可能な大きさである。
【０００５】
なお、ケーシングは、支柱と、底板と、天板と、を有していることが好ましい。
【０００６】
第１観点の屋外空気調和装置は、第２ファンを容易に取り出せるため、第２ファンの修理や、取替えを容易に行うことができる。
【０００７】
第２観点の屋外空気調和装置は、第１観点の屋外空気調和装置であって、吹出し口部材をさらに備えている。吹出し口部材は、第１の開口に配置されている。吹出し口部材は、ケーシングに脱着可能に装着される。
【０００８】
第２観点の屋外空気調和装置は、脱着可能な吹出し口部材をさらに備えるため、吹出し口部材を取り外せば、第２ファンを容易に取り出すことができる。
【０００９】
第３観点の屋外空気調和装置は、第２観点の屋外空気調和装置であって、吹出し口部材は、フラップを有している。
【００１０】
第３観点の屋外空気調和装置は、フラップを有しているため、風向きを変更することができる。
【００１１】
第４観点の屋外空気調和装置は、第３観点の屋外空気調和装置であって、吹出し口部材は、さらに、枠体を有する。枠体は、ケーシングに取り付けられる。枠体は、第１の開口に配置されている。枠体には第２の開口が形成されている。フラップは第２の開口に配置されている。
【００１２】
第５観点の屋外空気調和装置は、第３観点の屋外空気調和装置であって、吹出し口部材は、さらに、枠体とパネルとを有する。枠体はケーシングに取り付けられる。パネルは、枠体に取り付けられる。枠体は、第１の開口に配置されている。枠体には第２の開口が設けられている。パネルは第２の開口に配置されている。パネルには第３の開口が形成されている。フラップは第３の開口に配置されている。
【００１３】
第６観点の屋外空気調和装置は、第５観点の屋外空気調和装置であって、吹出し口部材は、パネルと複数のフラップユニットとを有している。パネルには、複数の第３の開口が形成されている。複数のフラップユニットは、フラップを有する。複数のフラップユニットは、第３の開口に配置されている。
【００１４】
第６観点の屋外空気調和装置は、複数のフラップユニットがパネルにとりつけられているので、吹出し口部材を取り外す際、フラップとパネルを一体で取り外すことができ、作業性が向上する。
【００１５】
第７観点の屋外空気調和装置は、第１観点〜第６観点のいずれかの屋外空気調和装置であって、第１の開口は、複数である。ケーシングは、複数の側面を有している。ケーシングのそれぞれの側面に一つの第１の開口が形成されている。
【００１６】
第７観点の屋外空気調和装置は、ケーシングの複数の側面に第１の開口が形成されており、必要に応じて、別の第１の開口から、第２ファンを取り出すことが可能である。
【００１７】
第８観点の屋外空気調和装置は、第２観点〜第６観点のいずれかの屋外空気調和装置であって、ケーシングは、複数の側面を有している。吹出し口部材は、ケーシングの側面のうち隣接する２つの側面に跨って配置されている。
【００１８】
第８観点の屋外空気調和装置は、吹出し口部材は、ケーシングの側面のうち隣接する２つの側面に跨って二つ配置されており、枠体が適宜分割して形成されているので、比較的容易に枠体をケーシングから取り外すことができる。
【００１９】
第９観点の屋外空気調和装置は、第１観点〜第８観点のいずれかの屋外空気調和装置であって、第２ファン、および、第１の開口は、高さ方向において、利用側熱交換と、熱源側熱交換器との間に配置されている。
【００２０】
第９観点の屋外空気調和装置は、第１の開口が適当な高さになり、利用者の適当な高さに風を提供することができる。
【図面の簡単な説明】
【００２１】
【図１】第１実施形態の屋外空気調和装置１００の冷媒回路を示す図。
【図２】第１実施形態の屋外空気調和装置１００の外観斜視図。
【図３Ａ】第１実施形態の屋外空気調和装置１００の内部の構成を示す斜視図。
【図３Ｂ】第１実施形態の屋外空気調和装置１００の内部の構成を示す縦断面図。
【図４】第１実施形態の屋外空気調和装置１００の吹出し口付近の構成を示す拡大斜視図。
【図５Ａ】第１実施形態の枠体２５の斜視図。
【図５Ｂ】第１実施形態のパネル５２の斜視図。
【図６】第２実施形態の屋外空気調和装置１０１の外観斜視図。
【図７】第２実施形態の吹出し口部材３０付近を示す斜視図
【図８Ａ】第２実施形態のパネル３００の図。
【図８Ｂ】第２実施形態のフラップユニット４０の図。
【図８Ｃ】第２実施形態の枠体２５を示す図。
【発明を実施するための形態】
【００２２】
＜第１実施形態＞
（１）屋外空気調和装置１００の冷媒回路の構成
第１実施形態の屋外空気調和装置１００の冷媒回路を図１に、外観の斜視図を図２に示す。本実施形態の屋外空気調和装置は、屋外に配置され、ヒートポンプを用いて、屋外の暖房、冷房、除湿などを行う空気調和装置である。ここで、屋外とは、外気にさらされる空間を意味する。たとえば、公園、野外競技場など、屋根の無いところの場合もあれば、屋根がある戸外空間、東屋や、ベランダのような場所であってもよい。
【００２３】
屋外空気調和装置１００は、冷房、または、除湿のみを行う冷房専用機であってもよい。屋外空気調和装置１００は、暖房のみを行う、暖房専用機であってもよい。屋外空気調和装置１００は、冷房、除湿に加えて、暖房を行う、空気調和装置であってもよい。
【００２４】
本実施形態の屋外空気調和装置１００は、図１に示すような冷媒回路全体を一つのケーシングの中に含む、空気調和装置である。屋外空気調和装置１００は、図１に示すように、圧縮機１、アキュムレーター８、四方切換弁２、利用側熱交換器３、膨張弁５、熱源側熱交換器６を備えている。これらの機器は、配管で接続され、冷媒は各機器を循環して、蒸気圧縮式の冷凍サイクルが行われる。屋外空気調和装置１００は、さらに、利用側熱交換器３、熱源側熱交換器６にそれぞれ空気を送る第２ファン４、第１ファン７を備えている。つまり、本実施形態の利用側熱交換器３、熱源側熱交換器６は、ともに、冷媒と空気で熱交換を行う熱交換器である。
【００２５】
冷房、除湿の場合は、利用側熱交換器３、熱源側熱交換器６は、それぞれ冷凍サイクルの蒸発器、凝縮器として機能する。暖房の場合は、利用側熱交換器、熱源側熱交換器は、それぞれ凝縮器、蒸発器として機能する。冷房と暖房は、四方切換弁２の切換により冷媒の流れを変更することにより、行われる。屋外空気調和装置１００が冷房専用機である場合には、四方切換弁２は不要である。屋外空気調和装置１００が暖房専用機である場合には、デフロスト運転のために、四方切換弁２を備えていてもよい。
【００２６】
屋外空気調和装置１００において用いる冷媒としては、たとえば、Ｒ３２単体、Ｒ３２を含む混合冷媒である。Ｒ３２を含む混合冷媒の例としては、Ｒ４５２Ｂ、Ｒ４１０Ａ、Ｒ４５４Ｂ、ＨＦＯ混合冷媒である。Ｒ４５２Ｂは、Ｒ３２が６７．０ｗｔ％、Ｒ１２５が７．０ｗｔ％、Ｒ１２３４ｙｆが２６．０％である。Ｒ４１０Ａは、Ｒ３２が５０ｗｔ％、Ｒ１２５が５０ｗｔ％である。Ｒ４５４Ｂは、Ｒ３２が７２．５ｗｔ％、Ｒ１２３４ｙｆが２７．５ｗｔ％である。ＨＦＯ混合冷媒としては、ＨＦＯ−１１２３が４５．０ｗｔ％、Ｒ３２が５５．０ｗｔ％のものや、ＨＦＯ−１１２３が４０．０ｗｔ％、Ｒ３２が６０．０ｗｔ％のものがある。
【００２７】
（２）屋外空気調和装置１００の各機器の配置
屋外空気調和装置１００の外観の斜視図を図２に、化粧板、一部の支柱等を取り除いて、主な内部の構成を表示した斜視図、縦断面図を図３Ａ、３Ｂに、吹出し口付近の詳細な斜視図を図４に示す。
【００２８】
本実施形態の空気調和装置１００では、ケーシング１０の中に、圧縮機１、熱源側熱交換器６、利用側熱交換器３、第１ファン７、第２ファン４が収容されている。ケーシング１０は、水平断面が、略正方形の直方体形状を有している。水平断面は、多角形、長方形であってもよい。円形であってもよい。ケーシング１０は、４本の支柱１１ａ〜１１ｄと、天板１３と底板１２とを有している。またケーシング１０の内部の空間は中間板１４〜１７によって仕切られている。中間板は、ケーシング１０の構造の補強にも寄与している。中間板１４〜１７は設計により適宜の枚数、適宜の位置に配置される。４本の支柱１１ａ〜１１ｄは、上面視水平な正方形の四隅に、鉛直に配置されている。天板１３、底板１２、および複数の中間板１４、１５、１６、１７は、４本の支柱１１ａ〜１１ｄに固定されている。
【００２９】
ケーシング１０の４側面２０ａ〜２０ｄの外側には、化粧板２０１、２０２が取り付けられている。化粧板２０１、２０２は複数の孔が形成されており、孔を通じて空気が流通可能になっている。各側面２０ａ〜２０ｄの化粧板は、上化粧板２０１、下化粧板２０２に分割されている。
【００３０】
ケーシング１０の内部には、上から順に、第１ファン７、熱源側熱交換器６、第２ファン４、利用側熱交換器３、圧縮機１が配置されている。第１ファン７は、熱源側熱交換器６に空気を流通させる。第２ファン４は、利用側熱交換器３に空気を流通させる。底板１２と中間板１７の間には、圧縮機１だけでなく、アキュムレーター８が配置されている。
【００３１】
底板１２のさらに下には、４つのキャスターが取り付けられている。したがって、屋外空気調和装置１００は、移動可能である。
【００３２】
第１ファン７は、プロペラファンである。ターボファン、シロッコファンであってもよい。第１ファン７は、天板１３の中央部に吹出し口２９を開けて、天板の中央部から上方に空気を排出できるように取り付けられている。図示されていないが天板１３の中央部の吹出し口２９にはさらにメッシュ状の板が配置されている。
【００３３】
熱源側熱交換器６は、冷媒を流通させる伝熱管と、冷媒と空気との熱交換を推進する金属製フィンを含んでいる。熱源側熱交換器６は、ケーシング１０の４側面２０ａ〜２０ｄの全ての面に配置されている。冷媒は、すべての側面２０ａ〜２０ｄを通過させる必要は無い。たとえば、２側面ごとに２つに分離して、冷媒を分配して流通させてもよい。また。必ずしも４側面２０ａ〜２０ｄ全てに熱源側熱交換器６を配置しなくてもよい。３つの面、２つの面、１つの面だけに配置してもよい。
【００３４】
第２ファン４は、ターボファンである。プロペラファン、シロッコファンであってもよい。第２ファン４は、中間板１５、１６の間に、中間板１５の中央部に吊り下げるように取り付けられている。第２ファン４は、第１ファン７のモータと別のモータで駆動され、独立に制御可能である。
【００３５】
利用側熱交換器３は、冷媒を空気と熱交換させながら流通させる伝熱管と、冷媒と空気との熱交換を促進する金属製フィンとを含んでいる。利用側熱交換器３は、ケーシング１０の４側面２０ａ〜２０ｄの全ての面に配置されている。冷媒は、すべての面を通過させる必要は無い。たとえば、２側面ごとに２つに分離して、冷媒を分配して流通させてもよい。また。必ずしも４つの側面２０ａ〜２０ｄ全てに利用側熱交換器３を配置しなくてもよい。３つの面、２つの面、１つの面だけに配置してもよい。
【００３６】
（３）屋外空気調和装置１００における空気を流す構成と、空気の流れの説明
（３−１）利用側熱交換器３側の空気の流れ
図面を参照して、利用側熱交換器３側の空気の流れを詳細に説明する。図３Ａ、３Ｂには、本実施形態の屋外空気調和装置１００における、主な空気の流れを矢印に示してあり、図４は吹出し口付近の詳細を示す図である。
【００３７】
第２ファン４が運転されると、空気は、屋外空気調和装置１００の外部、４側面２０ａ〜２０ｄの利用側熱交換器３の前面から、下化粧板２０２を通過して、中間板１６、１７の間の空間に取り込まれる。空気は、利用側熱交換器３を通過し、利用側熱交換器３を流れる冷媒と熱交換を行う。冷媒によって加熱または冷却された空気は、第２ファン４を通過し、中間板１５、１６の間の空間へ移動し、４側面２０ａ〜２０ｄに設けられた吹出し口から外の空間に、横方向に吹出される。吹出し口として、単にケーシングに設けられた穴を第１の開口３１ａ〜３１ｄと呼ぶ。第１の開口３１ａ〜３１ｄに何も配置しなくても良い。しかし、フラップ４０２など、吹出し口部材３０を配置しても良い。また、横方向とは、水平方向±３０°で定義する。本実施形態の屋外空気調和装置１００は、フラップ４０２を有しており、水平方向と、水平方向±３０°より広い角度に空気を吹出すことができる。吹出し口の向きを変更することにより、ある方向だけ全閉にして、特定の方向だけ空気の吹出しを封止することもできる。
【００３８】
（３−２）利用側熱交換器３側の第１の吹き出し口の周囲の詳細構成
（３−２−１）吹出し口部材３０の全体構成
図面を参照して、実施形態１の吹出し口付近の構成について、さらに詳しく説明する。第１実施形態の屋外空気調和装置１００について、図４は吹出し口付近の拡大図を示し、図５Ａは枠体２５、図５Ｂはパネル５２を示す図である。図４の左側の側面２０ｄにおいては、化粧板２０１、２０２をつけた状態で、かつ、フラップ４０１、パネル５２が見える状態で示している。ただし、パネル５２の前面のカバー５３（図２参照）は取り外した状態である。一方、図４の右の側面２０ａは、化粧板２０１，２０２、フラップ４０１、パネル５２等を取り外し、内部が見える状態で表示している。
【００３９】
利用側熱交換器３を通過した空気の吹出し口、すなわち、第１の開口３１ａ〜３１ｄは、中間板１５、１６の間を取り囲む４側面に形成されている。第１の開口３１ａ〜３１ｄは、ケーシング１０に形成された穴そのものである。第１の開口３１ａ〜３１ｄには、吹出し口部材３０が配置されている。
【００４０】
吹出し口部材３０は、枠体２５、パネル５２、フラップ４０１を有している。吹出し口部材３０は、表面に耐候性処理が施されている。ここで、耐候性処理とは、材料自体が耐候性材料で構成されている場合を含む。耐候性処理は、枠体２５と、パネル５２、フラップ４０１全てに施されていてもよいし、一部の部材に施されていてもよい。風が通過するフラップ４０１は特に必要性が高い。本実施形態においては、フラップ４０１のみに、耐候性処理が施されている。ここで耐候性材料の例としては、アクリロニトリルスチレン重合体などであるが、これに限定されない。
【００４１】
また、吹出し口の下部の４側面２０ａ〜２０ｄに、把手５１が配置されている。把手５１は、人が屋外空気調和装置１００を移動させる際に、手を入れて抱えたり、押したりするのに役に立つ。
【００４２】
（３−２−２）枠体２５の構成
枠体２５は、金属板である。枠体２５は、ケーシング１０に取り付けられている。枠体２５は、図５Ａに示すように、第１部品２５ａと、第２部品２５ｂとを有する。第１部品２５ａは、ケーシング１０の連続する２つの側面２０ｂ、２０ｃの第１の開口３１ｂ、３１ｃに対応して、配置される。第１部品２５ａには、２つの第２の開口２５１が形成されている。第２部品２５ｂも同様である。本実施形態の枠体２５は、２つの部品２５ａ、２５ｂに分かれているため、１本の支柱を取り外すことにより、比較的容易にケーシング１０より着脱可能である。なお、４本の支柱１１ａ〜１１ｄのうち、１本の支柱については（本実施形態においては、支柱１１ｂ）、冷媒配管や電気配線が集中的に配置されている。この配管、配線の集中する支柱１１ｂ以外の支柱１１ａ、１１ｃ、１１ｄから取り外す支柱は選択される。
【００４３】
第２ファン４は、第１の開口３１ａ〜３１ｄより小さく、第２の開口２５１より大きい。したがって、枠体２５を取り外すことにより、第２ファン４の取り外し、挿入が可能になる。
【００４４】
（３−２−３）パネル５２の構成
パネル５２は、樹脂製である。金属製であっても良い。パネル５２は、ケーシング１０に取り付けられる。パネル５２は、枠体２５の外側に配置されている。図５Ｂに示すように、パネル５２には、第３の開口５２１が形成されている。枠体２５の第２の開口２５１と第３の開口５２１は側面視、略一致する位置に配置されている。第３の開口５２１には、フラップ４０１が取り付けられている。
【００４５】
パネル５２には、把手５１を取り付けるための穴５４も形成されている。
【００４６】
（３−３）熱源側熱交換器６側の空気の流れ
第１ファン７が運転されると、空気は、屋外空気調和装置１００の外部の、熱源側熱交換器６が配置されている前面から、上化粧板２０１を通過して、中間板１４、１５の間の空間に、取り込まれる。外気は、４側面２０ａ〜２０ｄにおいて、取り込まれる。外部から取り込まれた空気は、熱源側熱交換器６を通過して、冷媒と熱交換を行う。冷媒によって、加熱または冷却された空気は、屋外空気調和装置１００の内部で第１ファン７、天板１３の中央の吹出し口２９を通過して、屋外空気調和装置１００の外の上部に、上向きに吹出される。
【００４７】
（４）特徴
（４−１）
本実施形態の屋外空気調和装置１００は、一つのケーシング１０の中に、圧縮機１、熱源側熱交換器６、利用側熱交換器３、第１ファン７、第２ファン４を備えている。そうして、ケーシング１０には、利用側熱交換器３を通過した空気を吹出す第１の開口３１ａ〜３１ｄが形成されている。このような屋外空気調和装置１００を屋外に設置することによって、屋外の広いエリアの冷房、または暖房が可能である。
【００４８】
第１の開口３１ａ〜３１ｄの大きさは、第２ファン４を取り外して通過させることが可能な大きさである。
【００４９】
屋外空気調和装置１００は、屋外に設置する都合上、外気にさらされ、機器全体として、耐候性に優れていることが求められる。そのために、機器全体として、屋外で使用できる頑丈さを求められることもあるが、トラブルの際、容易に対応できるメンテナンス性の良さも求められる。
【００５０】
本実施形態の屋外空気調和装置１００は、第２ファン４を容易に取り出せるため、第２ファン４の修理や、取替えを容易に行うことができる。
【００５１】
（４−２）
また、本実施形態の屋外空気調和装置１００は、第１の開口３１ａ〜３１ｄに配置する吹出し口部材３０をさらに有している。吹出し口部材３０は、脱着可能に、ケーシング１０に配置されている。
【００５２】
吹出し口部材３０は、風向の制御や、吹出し口の封止等、空気の流れを制御することが可能である。吹出し口部材３０は、このような機能を有しながら、取り外し可能であるため、これを取り外すことにより、上記第２ファンを取り出し、挿入することができる。つまり、第２ファンのメンテナンスを容易に行うことができる。
【００５３】
（４−３）
本実施形態の屋外空気調和装置１００においては、吹出し口部材３０は、さらに、フラップを有している。フラップによって風向の調整が可能である。
【００５４】
（４−４）
本実施形態の屋外空気調和装置１００においては、ケーシング１０に複数の側面が形成されている。また、それぞれの側面には、少なくとも一つの第１の開口３１ａ〜３１ｄが形成されている。
【００５５】
本実施形態の屋外空気調和装置１００は、複数の側面に複数の第１の開口３１ａ〜３１ｄを有しているため、多方面の冷房、または暖房が可能である。
【００５６】
また、複数の第１の開口３１ａ〜３１ｄより、第２ファン４を取り出し可能であるため、メンテナンスの事情に応じて、取り出し口を選択することができる。
【００５７】
（４−５）
本実施形態の屋外空気調和装置１００においては、枠体２５は、２つの部材に分割されている。第１部品２５ａ、第２部品２５ｂは、それぞれ、２つの第２の開口２５１をつないでいる。このように、枠体２５が適宜分割して形成されているので、比較的容易に枠体２５をケーシング１０から取り外すことができる。
【００５８】
（４−６）
また、本実施形態においては、第２ファン４と、利用側熱交換器３を通過した空気の第１の開口３１ａ〜３１ｄは、高さ方向において、利用側熱交換器３と、熱源側熱交換器６の間に配置されている。
【００５９】
このような構成とすることにより、第１の開口３１ａ〜３１ｄの高さを適当な高さに設定することができる。ここで適当な高さとは、人が立っていても、いすに座っていても上半身に風があたり、快適と感じられる高さである。また、適当な高さで横方向に吹出すことにより、遠方まで、風を到達させることができ、広いエリアの暖房、冷房を可能にする。
【００６０】
（５）変形例
（５−１）変形例１Ａ
第１実施形態においては、吹出し口部材３０がケーシング１０に取り付けられている。変形例１Ａでは、屋外空気調和装置１００は、吹出し口部材を有さない。すなわち、ケーシング１０には、第１の開口３１ａ〜３１ｄが設けられているのみである。第１変形例では、吹出し口部材を取り外さなくても、第２ファンを取り外すことができる。メンテナンスが容易である。
【００６１】
（５−２）変形例１Ｂ
第１実施形態においては、吹出し口部材３０は、フラップ４０１を有している。変形例１Ａでは、屋外空気調和装置１００は、フラップ４０１を有さない。すなわち、吹出し口部材は、枠体２５、パネル５２のみである。変形例１Ｂでは、フラップを有さないため、構成が簡単になる。
【００６２】
（５−３）変形例１Ｃ
第１実施形態においては、吹出し口部材３０は、枠体２５、パネル５２、フラップ４０１を有し、フラップ４０１は、パネルに取り付けられている。変形例１Ｃでは、吹出し口部材３０は、フラップのみを有する。フラップは、直接ケーシング１０に取り付けられている。その他の構成は、第１実施形態と同様である。変形例１Ｃの場合、フラップをケーシング１０より取り外し、第２ファン４を取り出すことができる。
【００６３】
＜第２実施形態＞
（６）第２実施形態の屋外空気調和装置１０１の構成
第２実施形態の屋外空気調和装置１０１の構成を図面を用いて説明する。図６は、本実施形態の屋外空気調和装置１０１の外観斜視図、図７は、屋外空気調和装置１０１の吹出し口部材３０付近を示す斜視図、図８Ａ〜図８Ｃは、吹出し口部材３０の各部材の図である。図８Ａはパネル３００、図８Ｂはフラップユニット４０、図８Ｃは枠体２５を示している。
【００６４】
（６−１）全体構成
第２実施形態の屋外空気調和装置１０１の冷媒回路の構成、ケーシング１０とその内部の各機器の構成は、第１実施形態の屋外空気調和装置１００の図１、図３Ａ、３Ｂに開示されたものと同じである。異なるのは、主に、吹出し口部材３０の構成である。第１実施形態と異なる点を中心に以下に説明する。
【００６５】
（６−２）利用側熱交換器３側の吹出し口部材３０の周囲の詳細構成
本実施形態では、第１の開口３１ａ〜３１ｄには、吹出し口部材３０が配置されている。吹出し口部材３０は、枠体２５と、パネル３００、フラップユニット４０を有している。吹出し口部材３０には、表面に耐候性処理を施してもよい。ここで、耐候性処理とは、材料自体が耐候性材料で構成されている場合を含む。耐候性材料の例としては、アクリロニトリルスチレン重合体などであるが、これに限定されない。
【００６６】
枠体２５は、図８Ｃに示す形状の金属板である。枠体２５は、ケーシング１０に取り付けられている。枠体２５は、４側面２０ａ〜２０ｄに対応して、４つの第２の開口２５１を形成している。枠体２５は、２つの穴を形成する第１部品２５ａと、第２部品２５ｂとを有する。枠体２５の第２の開口２５１には、それぞれ、パネル３００が取り付けられている。
【００６７】
パネル３００は、樹脂製である。図８Ａに示すように、一つのパネル３００には、４つの第３の開口３０１が形成されている。第３の開口３０１には、それぞれ、フラップユニット４０が取り付けられている。
【００６８】
フラップユニット４０は、図８Ｂに示すように、第１フラップ４０１、第２フラップ４０２、風向調整つまみ４０３を有している。フラップユニット４０のフラップ４０１、４０２の間の隙間、または、フラップ４０１、４０２と、フラップの周りの枠の間の隙間から空気が吹出される。フラップユニット４０は樹脂製である。金属製であってもよい。第１フラップ４０１は、第２フラップ４０２よりも外側に配置されている。第１フラップ４０１は、水平方向の空気の吹出し方向を変更することができる。第２フラップ４０２は、鉛直方向の空気の吹出し方向を変更することができる。なお、本実施形態においては、同一のフラップユニット４０に属する複数の第１フラップ４０１は、同一の方向を向くように設計されている。第２フラップ４０２も同様である。風向調整つまみ４０３を上下に動かすことにより、第２フラップ４０２の傾きを変更し、風向きを上下に変更することができる。風向調整つまみ４０３を左右に動かすことにより、第１フラップ４０１の傾きを変更し、風向きを左右に変更することができる。風向調整つまみ４０３を動かすことにより、吹出し口を塞ぐこともできる。本実施形態は、４側面２０ａ〜２０ｄにそれぞれ４つのフラップユニット４０が配置されている。各フラップユニット４０は、独立に風向調整つまみ４０３を動かすことにより、風向きを調整、封鎖することができる。
【００６９】
フラップ４０１、４０２の向きは、本実施形態のように、手動で制御されてもよいし、自動制御されていてもよい。フラップ４０１、４０２を手動で操作するためには、風向調整つまみ４０３に外部からアクセスできる必要がある。そのため、たとえば、化粧板の風向調整つまみ４０３の前面に当たる部分は、穴が開けられていてもよい。化粧板が取り外しできる、または、開状態にできてもよい。自動制御の例としては、ある側面から吹出される風向を時間に合わせて、変更してもよい。あるいは、ユーザーのスイッチ操作で、ある側面からの吹出し口からの吹出しを封止してもよい。
【００７０】
（７）第２実施形態の特徴
第２実施形態の空気調和装置１０１においては、第１実施形態の（４−１）〜（４−６）の全てが当てはまる。それに加えて、以下の特徴がある。
【００７１】
（７−１）
本実施形態の第１の開口３１ａ〜３１ｄには、複数の穴を有するパネル３００が配置されている。パネル３００が無い場合に比べて第１の開口３１ａ〜３１ｄは小さくなり、吹出し空気の風向や風量を制御しやすくなる。また、複数の穴を独立に制御して、一部の穴を封鎖したり、空気の吹出し方向をそれぞれ違えたりすることができる。
【００７２】
（７−２）
本実施形態のフラップ４０１、４０２は、ケーシング１０より着脱可能である。本実施形態の場合、より具体的には、パネル３００はケーシング１０に取り付けられている枠体２５より着脱可能であり、フラップユニット４０は、パネル３００より着脱可能である。フラップユニット４０はフラップ４０１、４０２を含んでいる。したがって、フラップ４０１、４０２は、ケーシング１０より着脱可能である。
【００７３】
本実施形態の屋外空気調和装置１０１は、屋外に配置されるために、フラップ４０１、４０２が汚れやすい。フラップ４０１、４０２が汚れていると、付着物によってはフラップ４０１、４０２を腐食するかもしれないし、付着物が吹き飛ばされると、付着物がユーザーに到達するかもわからないし、においが出る可能性もある。本実施形態の屋外空気調和装置１００は、フラップ４０１、４０２が着脱可能であるため、清掃が容易である。フラップを屋外空気調和装置から取り外すことができれば、より簡便にフラップを清掃することができる。
【００７４】
また、本実施形態の屋外空気調和装置１０１は、複数のフラップユニット４０がパネルにとりつけられているため、吹出し口部材３０を取り外す際、パネル３００とフラップユニット４０を一体で取り外すことができ作業性が向上する。
【００７５】
さらに、本実施形態の屋外空気調和装置１０１は、複数のフラップユニット４０を有しているため、フラップユニット４０ごとに風向きの制御ができる。
【００７６】
（８）第２実施形態の変形例
（８−１）変形例２Ａ
第２実施形態においては、吹出し口部材３０がケーシング１０に取り付けられている。変形例２Ｂでは、吹出し口部材３０は、枠体２５は有していない。パネル３００は、直接、ケーシング１０に脱着可能に、取り付けられている。その他の構成は、第２実施形態と同様である。フラップユニット４０は、パネル３００に脱着可能に取り付けられている。フラップユニット４０は、パネル３００に固定的に取り付けられていてもよい。変形例２Ａの場合も、パネル３００を取り外して、第２ファン４を取り出すことができる。構成は第２実施形態よりも簡便である。
【００７７】
（８−２）変形例２Ｂ
第２実施形態においては、吹出し口部材３０は、枠体２５、パネル３００、フラップユニット４０を有している。変形例１Ｃでは、吹出し口部材３０は、枠体２５と、フラップユニット４０を有し、パネル３００は有していない。フラップユニット４０は、枠体２５に脱着可能に、取り付けられている。その他の構成は、第２実施形態と同様である。変形例２Ｂの場合、フラップユニット４０を枠体２５から取り外して、かつ、枠体２５をケーシング１０より取り外すことにより、第２ファン４を取り外すことができる。
【００７８】
（８−３）変形例２Ｃ
第２実施形態においては、吹出し口部材３０は枠体２５を有し、枠体２５を取り外して、第２ファン４を取り外すことができる。変形例２Ｃにおいては、枠体２５に設けられた第２の開口２５１は、第２ファンを取り外して通過することが可能な大きさに設計されている。その他の構成は、第１実施形態と同様である。変形例２Ｃにおいては、パネル３００を枠体２５より取り外し、第２ファンを取り出すことができる。
【００７９】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００８０】
１００          屋外空気調和装置
１              圧縮機
２              四方切換弁
３              利用側熱交換器
４              第２ファン
５              膨張弁
６              熱源側熱交換器
７              第１ファン
８              アキュムレーター
１０            ケーシング
１１ａ〜１１ｄ  支柱
１２            底板
１３            天板
１４〜１７      中間板
２０ａ〜２０ｄ  化粧板
２５            枠体
２５１          第２の開口
３０            吹出し口部材
５２、３００    パネル
５２１、３０１  第３の開口
３１ａ〜３１ｄ  第１の開口
４０            フラップユニット
４０１、４０２  フラップ
【先行技術文献】
【特許文献】
【００８１】
【特許文献１】特開２００２−２２８１８６号公報
【図１】
2020003182.tif 000003
【図２】
2020003182.tif 000004
【図３Ａ】
2020003182.tif 000005
【図３Ｂ】
2020003182.tif 000006
【図４】
2020003182.tif 000007
【図５Ａ】
2020003182.tif 000008
【図５Ｂ】
2020003182.tif 000009
【図６】
2020003182.tif 000010
【図７】
2020003182.tif 000011
【図８Ａ】
2020003182.tif 000012
【図８Ｂ】
2020003182.tif 000013
【図８Ｃ】
2020003182.tif 000014